(57)【要約】【課題】複数の電力需要家の間で、分散型電源から供給される電力を融通し合える電力システムおよび切替装置を提供する。【解決手段】電力システムＳ１は、電力を供給可能な分散型電源１と、電力系統Ｋから電力を受電して、第１の電力需要家が有する第１の電力負荷３１Ａに電力を供給する第１の受電設備３２Ａと、電力系統Ｋから電力を受電して、第２の電力需要家が有する第２の電力負荷３１Ｂに電力を供給する第２の受電設備３２Ｂと、分散型電源１から第１の受電設備３２Ａに電力が供給される第１接続状態と分散型電源１から第２の受電設備３２Ｂに電力が供給される第２接続状態とを切り替える切替装置２と、を備えており、切替装置２は、第１の電力負荷３１Ａによる第１の電力使用状況および第２の電力負荷３１Ｂによる第２の電力使用状況に応じて、第１接続状態と第２接続状態とを切り替える。【選択図】図２
2019205224.tif 000002
【特許請求の範囲】
【請求項１】
電力を供給可能な分散型電源と、
電力系統から電力を受電して、第１の電力需要家が有する第１の電力負荷に電力を供給する第１の受電設備と、
電力系統から電力を受電して、第２の電力需要家が有する第２の電力負荷に電力を供給する第２の受電設備と、
前記分散型電源から前記第１の受電設備に電力が供給される第１接続状態と前記分散型電源から前記第２の受電設備に電力が供給される第２接続状態とを切り替える切替装置と、
を備えており、
前記切替装置は、前記第１の電力負荷による第１の電力使用状況および前記第２の電力負荷による第２の電力使用状況に応じて、前記第１接続状態と前記第２接続状態とを切り替える、
ことを特徴とする電力システム。
【請求項２】
前記第１の電力使用状況を取得する第１監視装置と、
前記第２の電力使用状況を取得する第２監視装置と、
前記切替装置との間で通信可能であり、かつ、前記切替装置に前記第１接続状態と前記第２接続状態との切り替えを指示する切替指示部と、をさらに備えており、
前記切替指示部は、前記第１監視装置が取得した前記第１の電力使用状況および前記第２監視装置が取得した前記第２の電力使用状況に応じた、前記第１接続状態と前記第２接続状態とを切り替えるための切替指示信号を、前記切替装置に送信し、
前記切替装置は、前記切替指示部から受信した前記切替指示信号に基づいて、前記第１接続状態と前記第２接続状態とを切り替える、
請求項１に記載の電力システム。
【請求項３】
前記切替指示部を有し、かつ、前記第１監視装置および前記第２監視装置と通信可能な統合管理装置をさらに備えており、
前記統合管理装置は、前記第１監視装置から前記第１の電力使用状況を受信し、かつ、前記第２監視装置から前記第２の電力使用状況を受信し、
前記切替指示部は、受信された前記第１の電力使用状況および前記第２の電力使用状況に基づいて、前記切替指示信号を生成する、
請求項２に記載の電力システム。
【請求項４】
前記切替装置は、前記第１接続状態のときに、前記第２の電力需要家において、デマンド時限終了時の予測デマンドが電力事業者との契約に基づく契約デマンドを超え、かつ、前記第１の電力需要家において、前記第２接続状態とした場合のデマンド時限終了時の予測デマンドが電力事業者との契約に基づく契約デマンドを超えない場合に、前記第２接続状態に切り替える、
請求項１ないし請求項３のいずれか一項に記載の電力システム。
【請求項５】
前記切替装置は、前記第１接続状態のときに、前記第１の電力需要家において、電力系統から受電する電力が第１閾値以下となり、かつ、前記第２の電力需要家において、前記第２接続状態とした場合の電力系統から受電する電力が第２閾値より大きい場合に、前記第２接続状態に切り替える、
請求項１ないし請求項３のいずれか一項に記載の電力システム。
【請求項６】
前記切替装置は、前記第１接続状態と前記第２接続状態とを切り替えるとき、前記分散型電源からの供給電力が前記第１の受電設備および前記第２の受電設備のいずれにも供給されない無接続状態を介する、
請求項１ないし請求項５のいずれか一項に記載の電力システム。
【請求項７】
電力系統から電力を受電して、第３の電力需要家が有する第３の電力負荷に電力を供給する第３の受電設備を、さらに備えており、
前記切替装置は、前記分散型電源から前記第３の受電設備に電力が供給される第３接続状態にも切替可能である、
請求項１ないし請求項６のいずれか一項に記載の電力システム。
【請求項８】
電力を供給可能な分散型電源と、
第１の需要地に設置された１以上の第１の電力需要家設備が接続される第１の電力網と、
第２の需要地に設置された１以上の第２の電力需要家設備が接続される第２の電力網と、
前記分散型電源から前記第１の電力網に電力が供給される第１接続状態と前記分散型電源から前記第２の電力網に電力が供給される第２接続状態とを切り替える切替装置と、
を備えており、
前記切替装置は、前記第１の需要地における第１の電力使用状況および前記第２の需要地における第２の電力使用状況に応じて、前記第１接続状態と前記第２接続状態とを切り替える、
ことを特徴とする電力システム。
【請求項９】
電力を供給可能な分散型電源から第１の受電設備に電力が供給される第１接続状態と前記分散型電源から第２の受電設備に電力が供給される第２接続状態とを切り替え可能な切替器と、
前記切替器を制御し、前記第１接続状態と前記第２接続状態とを切り替える切替制御部と、
を備えており、
前記第１の受電設備は、電力系統から電力を受電して、第１の電力需要家が有する第１の電力負荷に電力を供給しており、
前記第２の受電設備は、電力系統から電力を受電して、第２の電力需要家が有する第２の電力負荷に電力を供給しており、
前記切替制御部は、前記第１の電力負荷による第１の電力使用状況および前記第２の電力負荷による第２の電力使用状況に応じて、前記第１接続状態と前記第２接続状態とを切り替える、
ことを特徴とする切替装置。
【請求項１０】
電力を供給可能な分散型電源から第１の電力網に電力が供給される第１接続状態と前記分散型電源から第２の電力網に電力が供給される第２接続状態とを切り替え可能な切替器と、
前記切替器を制御し、前記第１接続状態と前記第２接続状態とを切り替える切替制御部と、
を備えており、
前記第１の電力網は、第１の需要地に設置された１以上の第１の電力需要家設備が接続されており、
前記第２の電力網は、第２の需要地に設置された１以上の第２の電力需要家設備が接続されており、
前記切替制御部は、前記第１の需要地における第１の電力使用状況および前記第２の需要地における第２の電力使用状況に応じて、前記第１接続状態と前記第２接続状態とを切り替える、
ことを特徴とする切替装置。
【発明の詳細な説明】
【技術分野】
【０００１】
本開示は、各々が電力系統から電力を受電する複数の受電設備を備える電力システム、および、当該電力システムで用いられる切替装置に関する。
【背景技術】
【０００２】
従来から、電力負荷を有する電力需要家が太陽電池や燃料電池等の分散型電源を設置し、電力負荷で必要な電力の一部を分散型電源で賄うことが行われている。たとえば、特許文献１には、太陽光発電装置を含む分散型電源から電力負荷に電力を供給する電力システムが開示されている。これにより、電力系統から受電する電力を抑制して、電力需要家の電気料金を削減することができる。
【先行技術文献】
【特許文献】
【０００３】
【特許文献１】特開２０１５−１３３８７１号公報
【発明の概要】
【発明が解決しようとする課題】
【０００４】
しかしながら、一部の電力需要家においては分散型電源を設置できない場合もある。たとえば、設置スペースがない場合や設置スペースがあっても躯体強度が不足する場合には、分散型電源を設置できない。このような電力需要家は、電力系統から受電する電力を抑制するために、電力負荷の稼働抑制や稼働停止などにより、消費電力を削減せざるを得なかった。一方で、分散型電源を設置している電力需要家において、逆潮流が禁止されている場合、電力負荷による消費電力が少ない期間は逆潮流の発生を抑制するために発電抑制を行う必要があった。したがって、分散型電源を設置していても、その稼働率が低下するなど、有効に活用できないことがあった。
【０００５】
本開示は、上記課題に鑑みて考え出されたものであり、その目的は、電力需要家の電力系統からの受電を抑制でき、また、分散型電源の稼働率の低下を抑制できる電力システムおよび切替装置を提供することにある。
【課題を解決するための手段】
【０００６】
本開示の第１の側面によって提供される電力システムは、電力を供給可能な分散型電源と、電力系統から電力を受電して、第１の電力需要家が有する第１の電力負荷に電力を供給する第１の受電設備と、電力系統から電力を受電して、第２の電力需要家が有する第２の電力負荷に電力を供給する第２の受電設備と、前記分散型電源から前記第１の受電設備に電力が供給される第１接続状態と前記分散型電源から前記第２の受電設備に電力が供給される第２接続状態とを切り替える切替装置とを備えており、前記切替装置は、前記第１の電力負荷による第１の電力使用状況および前記第２の電力負荷による第２の電力使用状況に応じて、前記第１接続状態と前記第２接続状態とを切り替えることを特徴とする。この構成によると、第１の電力需要家が有する第１の電力負荷と第２の電力需要家が有する第２の電力負荷とのそれぞれの電力使用状況に応じて、分散型電源の電力供給先が第１の受電設備と第２の受電設備との間で切り替わる。したがって、第１の電力需要家と第２の電力需要家との間で、分散型電源から供給される電力を融通し合うことができる。これにより、分散型電源を有さない電力需要家においては、電力負荷の消費電力を削減することなく、電力系統からの受電を抑制でき、また、分散型電源を有する電力需要家においては、分散型電源の稼働率を低下させることなく、逆潮流の発生を抑制できる。
【０００７】
前記電力システムの好ましい実施の形態においては、前記第１の電力使用状況を取得する第１監視装置と、前記第２の電力使用状況を取得する第２監視装置と、前記切替装置との間で通信可能であり、かつ、前記切替装置に前記第１接続状態と前記第２接続状態との切り替えを指示する切替指示部と、をさらに備えており、前記切替指示部は、前記第１監視装置が取得した前記第１の電力使用状況および前記第２監視装置が取得した前記第２の電力使用状況に応じた、前記第１接続状態と前記第２接続状態とを切り替えるための切替指示信号を、前記切替装置に送信し、前記切替装置は、前記切替指示部から受信した前記切替指示信号に基づいて、前記第１接続状態と前記第２接続状態とを切り替える。この構成によると、切替装置は、切替指示部からの指示に従い、第１接続状態と第２接続状態の切り替えを行っている。したがって、切替装置とは別の切替指示部によって、第１の電力需要家と第２の電力需要家との間の電力融通を制御することができる。
【０００８】
前記電力システムの好ましい実施の形態においては、前記切替指示部を有し、かつ、前記第１監視装置および前記第２監視装置と通信可能な統合管理装置をさらに備えており、前記統合管理装置は、前記第１監視装置から前記第１の電力使用状況を受信し、かつ、前記第２監視装置から前記第２の電力使用状況を受信し、前記切替指示部は、受信された前記第１の電力使用状況および前記第２の電力使用状況に基づいて、前記切替指示信号を生成する。この構成によると、統合管理装置が有する切替指示部によって、第１接続状態と第２接続状態とを切り替えるための切替指示信号が生成されている。よって、統合管理装置は、第１の電力使用状況および第２の電力使用状況を受信して、これらに基づいて、切替指示信号を生成する。そして、生成した切替指示信号を切替装置に送信する。これにより、切替装置が、受信した切替指示信号に基づいて、第１接続状態と第２接続状態との切り替えを行う。したがって、統合管理装置が、第１の電力需要家と第２の電力需要家との間の電力融通を一括して制御することができる。
【０００９】
前記電力システムの好ましい実施の形態においては、前記切替装置は、前記第１接続状態のときに、前記第２の電力需要家において、デマンド時限終了時の予測デマンドが電力事業者との契約に基づく契約デマンドを超え、かつ、前記第１の電力需要家において、前記第２接続状態とした場合のデマンド時限終了時の予測デマンドが電力事業者との契約に基づく契約デマンドを超えない場合に、前記第２接続状態に切り替える。たとえば、分散型電源を有していない第２の電力需要家において、電力デマンドが契約デマンドを超えないために、従来は、第２の電力負荷の稼働停止や稼働抑制をする必要があった。しかしながら、この構成によると、第２の電力需要家において、予測デマンドが契約デマンドを超え、かつ、第１の電力需要家において、分散型電源からの電力供給がなくても予測デマンドが契約デマンドを超えない場合に、分散型電源から第２の受電設備に電力供給する状態に切り替えることができる。したがって、第２の電力負荷の稼働停止や稼働抑制を行うことなく、電力デマンドが契約デマンドを超えないようにできる。
【００１０】
前記電力システムの好ましい実施の形態においては、前記切替装置は、前記第１接続状態のときに、前記第１の電力需要家において、電力系統から受電する電力が第１閾値以下となり、かつ、前記第２の電力需要家において、前記第２接続状態とした場合の電力系統から受電する電力が第２閾値より大きい場合に、前記第２接続状態に切り替える。たとえば、分散型電源を有する第１の電力需要家が逆潮流なしの系統連系である場合、従来は、逆潮流が発生しないように分散型電源からの電力供給を抑制していた。なお、「系統連系」とは、電力会社の電力系統に発電設備を接続することおよびその状態を示しており、「逆潮流なしの系統連系」とは、系統連系していても配電線には電力は送り込まない場合のことである。しかしながら、この構成によると、たとえば第１閾値および第２閾値として０より大きい値を設定しておき、第１の電力需要家において、電力系統から受電する電力が第１閾値以下となり、かつ、第２の電力需要家において、分散型電源からの電力供給があっても電力系統から受電する電力が第２閾値より大きい場合に、分散型電源から第２の受電設備に電力供給する状態に切り替えることができる。したがって、分散型電源の発電を抑制することなく、第１の電力需要家において逆潮流の発生を抑制できる。
【００１１】
前記電力システムの好ましい実施の形態においては、前記切替装置は、前記第１接続状態と前記第２接続状態とを切り替えるとき、前記分散型電源からの供給電力が前記第１の受電設備および前記第２の受電設備のいずれにも供給されない無接続状態を介する。第１接続状態と第２接続状態とを瞬時に切り替えると、第１の受電設備と第２の受電設備とが電気的に接続される場合があり、この場合、電力系統を介したループ接続によって、短絡事故の要因となる。しかしながら、この構成によると、第１接続状態と第２接続状態とを切り替えるときに、無接続状態を介するので、第１の受電設備と第２の受電設備とが電気的に導通することを抑制できる。したがって、上記短絡事故の発生を抑制できる。
【００１２】
前記電力システムの好ましい実施の形態においては、電力系統から電力を受電して、第３の電力需要家が有する第３の電力負荷に電力を供給する第３の受電設備を、さらに備えており、前記切替装置は、前記分散型電源から前記第３の受電設備に電力が供給される第３接続状態にも切替可能である。この構成によると、３つ以上の電力需要家の間で、分散型電源からの供給電力を融通し合うことができる。
【００１３】
本開示の第２の側面によって提供される電力システムは、電力を供給可能な分散型電源と、第１の需要地に設置された１以上の第１の電力需要家設備が接続される第１の電力網と、第２の需要地に設置された１以上の第２の電力需要家設備が接続される第２の電力網と、前記分散型電源から前記第１の電力網に電力が供給される第１接続状態と前記分散型電源から前記第２の電力網に電力が供給される第２接続状態とを切り替える切替装置と、を備えており、前記切替装置は、前記第１の需要地における第１の電力使用状況および前記第２の需要地における第２の電力使用状況に応じて、前記第１接続状態と前記第２接続状態とを切り替えることを特徴とする。この構成によると、第１の需要地における第１の電力使用状況および第２の需要地における第２の電力使用状況に応じて、分散型電源の電力供給先が第１の電力網と第２の電力網との間で切り替わる。したがって、第１の需要地と第２の需要地との間で電力を融通し合うことができる。
【００１４】
本開示の第３の側面によって提供される切替装置は、電力を供給可能な分散型電源から第１の受電設備に電力が供給される第１接続状態と前記分散型電源から第２の受電設備に電力が供給される第２接続状態とを切り替え可能な切替器と、前記切替器を制御し、前記第１接続状態と前記第２接続状態とを切り替える切替制御部と、を備えており、前記第１の受電設備は、電力系統から電力を受電して、第１の電力需要家が有する第１の電力負荷に電力を供給しており、前記第２の受電設備は、電力系統から電力を受電して、第２の電力需要家が有する第２の電力負荷に電力を供給しており、前記切替制御部は、前記第１の電力負荷による第１の電力使用状況および前記第２の電力負荷による第２の電力使用状況に応じて、前記第１接続状態と前記第２接続状態とを切り替えることを特徴とする。この構成によると、第１の電力需要家が有する第１の電力負荷と第２の電力需要家が有する第２の電力負荷とのそれぞれの電力使用状況に応じて、分散型電源の電力供給先を第１の受電設備と第２の受電設備との間で切り替えることができる。したがって、第１の電力需要家と第２の電力需要家との間で、分散型電源から供給される電力を融通させ合うことができる。
【００１５】
本開示の第４の側面によって提供される切替装置は、電力を供給可能な分散型電源から第１の電力網に電力が供給される第１接続状態と前記分散型電源から第２の電力網に電力が供給される第２接続状態とを切り替え可能な切替器と、前記切替器を制御し、前記第１接続状態と前記第２接続状態とを切り替える切替制御部と、を備えており、前記第１の電力網は、第１の需要地に設置された１以上の第１の電力需要家設備が接続されており、前記第２の電力網は、第２の需要地に設置された１以上の第２の電力需要家設備が接続されており、前記切替制御部は、前記第１の需要地における第１の電力使用状況および前記第２の需要地における第２の電力使用状況に応じて、前記第１接続状態と前記第２接続状態とを切り替えることを特徴とする。この構成によると、第１の需要地における第１の電力使用状況および第２の需要地における第２の電力使用状況に応じて、分散型電源の電力供給先を第１の電力網と第２の電力網との間で切り替えることができる。したがって、第１の需要地と第２の需要地との間で電力を融通させ合うことができる。
【発明の効果】
【００１６】
本開示の電力システムおよび切替装置によれば、複数の電力需要家の間で、分散型電源から供給される電力を融通し合うことで、各電力需要家の電力系統からの受電を抑制でき、また、分散型電源の稼働率の低下を抑制できる。
【００１７】
本開示の電力システムおよび切替装置のその他の特徴および利点は、添付図面を参照して以下に行う詳細な説明によって、より明らかとなろう。
【図面の簡単な説明】
【００１８】
【図１】第１実施形態にかかる電力システムの全体構成を示す図である。
【図２】第１実施形態にかかる電力システムの詳細構成を示す図である。
【図３】統括管理装置が行う第１切替指示信号生成処理を示すフローチャートである。
【図４】統括管理装置が行う第２切替指示信号生成処理を示すフローチャートである。
【図５】第１実施形態の変形例にかかる電力システムの全体構成を示す図である。
【図６】第１実施形態の変形例にかかる電力システムの全体構成を示す図である。
【図７】第２実施形態にかかる電力システムの詳細構成を示す図である。
【図８】第３実施形態にかかる電力システムの全体構成を示す図である。
【図９】第４実施形態にかかる電力システムの全体構成を示す図である。
【発明を実施するための形態】
【００１９】
本開示の電力システムおよび切替装置の好ましい実施の形態について、図面を参照して、以下に説明する。
【００２０】
図１および図２は、本開示の第１実施形態にかかる電力システムを示している。第１実施形態の電力システムＳ１は、分散型電源１、切替装置２、複数の電力需要家設備３および統合管理装置４を備えている。本実施形態においては、複数の電力需要家設備３として、第１の電力需要家設備３Ａおよび第２の電力需要家設備３Ｂを備えている場合について説明する。
【００２１】
図１は、電力システムＳ１の全体構成を示している。図２は、電力システムＳ１の詳細な構成を示している。なお、これらの図において、太実線で示したものは電力経路を示しており、矢印付きの実線で示したものは通信経路を示している。
【００２２】
図１および図２に示すように、電力システムＳ１においては、第１の電力需要家が所有する建屋Ａに、分散型電源１、切替装置２および第１の電力需要家設備３Ａが設置されている。また、第２の電力需要家が所有する建屋Ｂに、第２の電力需要家設備３Ｂが設置されている。さらに、第１の電力需要家設備３Ａと第２の電力需要家設備３Ｂとは、電力需要家間電力線５によって接続されている。
【００２３】
また、図１に示すように、電力システムＳ１において、分散型電源１、切替装置２、第１の電力需要家設備３Ａ、第２の電力需要家設備３Ｂおよび統合管理装置４は、それぞれ通信ネットワーク９１に接続されている。
【００２４】
分散型電源１は、電力を発生させ、当該発生させた電力を第１の電力需要家設備３Ａまたは第２の電力需要家設備３Ｂのいずれかに供給するものである。本実施形態においては、分散型電源１として、太陽光発電装置を例に説明する。分散型電源１は、発電装置１１およびパワーコンディショナ１２を有する。
【００２５】
発電装置１１は、太陽電池を含んでおり、太陽電池によって太陽光エネルギーを電気エネルギーに変換することで、直流電力を発生させる。そして、発生させた直流電力をパワーコンディショナ１２に出力する。
【００２６】
パワーコンディショナ１２は、分散型電源１の各種制御を行うものである。パワーコンディショナ１２は、たとえば発電装置１１により発生した電力を、第１の電力需要家設備３Ａおよび第２の電力需要家設備３Ｂに適した特性の電力に変換する。本実施形態においては、パワーコンディショナ１２は、インバータ回路を備えている。インバータ回路は、発電装置１１から入力される直流電力を交流電力に変換する。パワーコンディショナ１２は、その他、インバータ回路から入力される交流電圧を昇圧（または降圧）する変圧器およびインバータ回路などを制御する制御回路を含んでいる。
【００２７】
パワーコンディショナ１２は、通信部１２１および電力検出部１２２を有する。通信部１２１は、統合管理装置４との間で通信を行うものである。通信部１２１と統合管理装置４の間の通信は、無線通信であってもよし、有線通信であってもよい。電力検出部１２２は、分散型電源１から出力された電力を検出するものである。電力検出部１２２は、検出した分散型電源１からの出力電力値ＰPVを、通信部１２１を介して統合管理装置４に送信する。
【００２８】
なお、分散型電源１において、電力検出部１２２が検出した出力電力値ＰPVを図示しない表示手段（たとえば液晶モニタ）に表示させてもよい。
【００２９】
本実施形態においては、分散型電源１として太陽光発電装置を例に説明したが、これに限定されず、風力発電装置、燃料電池発電装置、コージェネレーション、内燃力発電装置または小水力発電装置などであってもよく、これらのものを複数含んで構成されていてもよい。また、分散型電源１がこれらの場合、発電装置１１は直流電力を発生させるものではなく、交流電力を発生させるものであってもよい。なお、発電装置１１によっては、パワーコンディショナ１２の代わりに、通信部１２１および電力検出部１２２を有する制御部が用いられる場合もある。
【００３０】
切替装置２は、分散型電源１が発電した電力を、第１の電力需要家設備３Ａおよび第２の電力需要家設備３Ｂのいずれに供給するかを選択的に切り替えるものである。切替装置２は、第１の電力需要家設備３Ａと第２の電力需要家設備３Ｂとを接続する電力需要家間電力線５上に配置されている。切替装置２は、切替器２１および切替制御部２２を有する。
【００３１】
切替器２１は、複数の接続状態のいずれかに切り替える。本実施形態においては、切替器２１は、ＤＴ（Double Throw）型のスイッチである。本実施形態においては、複数の接続状態として、第１接続状態、第２接続状態および無接続状態の３つの状態がある。
【００３２】
第１接続状態は、分散型電源１と第１の電力需要家設備３Ａとが導通し、かつ、分散型電源１と第２の電力需要家設備３Ｂとが遮断された状態である。したがって、第１接続状態では、分散型電源１からの出力電力の供給先として、第１の電力需要家設備３Ａが選択されており、分散型電源１からの出力電力が第１の電力需要家設備３Ａに供給される。
【００３３】
第２接続状態は、分散型電源１と第１の電力需要家設備３Ａとが遮断され、かつ、分散型電源１と第２の電力需要家設備３Ｂとが導通した状態である。したがって、第２接続状態では、分散型電源１からの出力電力の供給先として第２の電力需要家設備３Ｂが選択されており、分散型電源１からの出力電力が第２の電力需要家設備３Ｂに供給される。
【００３４】
無接続状態は、分散型電源１が、第１の電力需要家設備３Ａおよび第２の電力需要家設備３Ｂの両方と遮断された状態である。したがって、無接続状態では、分散型電源１からの出力電力の供給先として第１の電力需要家設備３Ａも第２の電力需要家設備３Ｂも選択されておらず、分散型電源１からの出力電力は第１の電力需要家設備３Ａにも第２の電力需要家設備３Ｂにも供給されない。
【００３５】
切替器２１は、たとえば図２に示すように４つの接点ｃ０，ｃ１，ｃ２，ｃ３を有している。接点ｃ０には分散型電源１が接続されている。接点ｃ１には第１の電力需要家設備３Ａが接続されている。接点ｃ２には第２の電力需要家設備３Ｂが接続されている。そして、接点ｃ３には何も接続されていない。このような切替器２１において、接点ｃ０と接点ｃ１とが導通状態のとき、第１接続状態となり、接点ｃ０と接点ｃ２とが導通状態のとき、第２接続状態となり、接点ｃ０と接点ｃ３が導通状態のとき、無接続状態となる。図２においては、接点ｃ０と接点ｃ１とが導通状態となった第１接続状態の場合を示している。なお、切替器２１の構成は第１接続状態、第２接続状態および無接続状態を切り替え可能であれば、上記したものに限定されない。
【００３６】
切替制御部２２は、切替器２１の切り替えを行うものである。切替制御部２２は、図２に示すように、通信部２２１を有している。通信部２２１は、統合管理装置４との間で通信を行うものである。なお、通信部２２１と統合管理装置４との間の通信は、無線通信であってもよいし、有線通信であってもよい。
【００３７】
切替制御部２２は、通信部２２１を介して統合管理装置４から切替指示信号を受信し、受信した切替指示信号に基づいて、切替器２１の切替を行う。切替指示信号は、切替器２１の切り替えを指示するための信号である。切替制御部２２は、受信した切替指示信号が、第１接続状態から第２接続状態への切り替えを指示するものである場合、切替器２１を第１接続状態から無接続状態に切り替えた後に、無接続状態から第２接続状態に切り替える。また、切替制御部２２は、受信した切替指示信号が、第２接続状態から第１接続状態への切り替えを指示するものである場合、切替器２１を第２接続状態から無接続状態に切り替えた後に、無接続状態から第１接続状態に切り替える。すなわち、切替制御部２２は、第１接続状態と第２接続状態とを切り替えるときに、無接続状態を介する。なお、切替制御部２２は、切替器２１が第１接続状態において、第１接続状態への切り替えを指示する切替指示信号を受信したとき、および、切替器２１が第２接続状態において、第２接続状態への切り替えを指示する切替指示信号を受信したときは、特に切替器２１の切り替えを行わない。
【００３８】
切替制御部２２は、現在の切替器２１の接続状態を示す接続状態信号を、通信部２２１を介して統合管理装置４に送信する。
【００３９】
第１の電力需要家設備３Ａおよび第２の電力需要家設備３Ｂはともに、電力系統Ｋに接続されており、電力系統Ｋからの電力を受電可能である。なお、第１の電力需要家設備３Ａと第２の電力需要家設備３Ｂは、それぞれ異なる位置で電力系統Ｋに接続されている。第１の電力需要家設備３Ａは、第１の電力需要家が所有する設備である。第２の電力需要家設備３Ｂは、第２の電力需要家が所有する設備である。第１の電力需要家設備３Ａは、切替器２１が第１接続状態のとき、分散型電源１からの出力電力を受電可能である。第２の電力需要家設備３Ｂは、切替器２１が第２接続状態のとき、分散型電源１からの出力電力を受電可能である。第１の電力需要家設備３Ａは、電力負荷３１Ａ、受電設備３２Ａおよびエネルギーマネージメントシステム３３Ａを備えている。第２の電力需要家設備３Ｂは、電力負荷３１Ｂ、受電設備３２Ｂおよびエネルギーマネージメントシステム３３Ｂを備えている。なお、以下の説明において、エネルギーマネージメントシステムを「ＥＭＳ」という。
【００４０】
電力負荷３１Ａ，３１Ｂはともに、電力を消費するものである。電力負荷３１Ａ，３１Ｂはそれぞれ、たとえば一般家庭や工場、商業施設などに設置される各種電気機器などである。電力負荷３１Ａは、受電設備３２Ａから電力を供給される。電力負荷３１Ｂは、受電設備３２Ｂから電力を供給される。
【００４１】
受電設備３２Ａ，３２Ｂはともに、配電盤や分電盤を含んで構成されている。受電設備３２Ａ，３２Ｂはそれぞれ、電力系統Ｋおよび分散型電源１から供給される電力を受電する。受電設備３２Ａは、受電した電力を電力負荷３１Ａに供給する。受電設備３２Ａは、分散型電源１から電力を受電しているとき、当該分散型電源１からの電力を電力系統Ｋからの電力よりも優先して電力負荷３１Ａに供給する。受電設備３２Ａは、図２に示すように、電力検出部３２１Ａを有する。また、受電設備３２Ｂは、受電した電力を電力負荷３１Ｂに供給する。受電設備３２Ｂは、分散型電源１から電力を受電しているとき、当該分散型電源１からの電力を電力系統Ｋからの電力よりも優先して電力負荷３１Ｂに供給する。受電設備３２Ｂは、図２に示すように、電力検出部３２１Ｂを有する。
【００４２】
電力検出部３２１Ａは、第１の電力需要家設備３Ａにおける各種電力を検出する。本実施形態においては、電力検出部３２１Ａは、電力負荷３１Ａで消費されている電力（消費電力）、分散型電源１から切替装置２を介して供給される電力（供給電力）および電力系統Ｋから受電する電力（受電電力）を検出する。電力検出部３２１Ａは、たとえば受電設備３２Ａから電力負荷３１Ａに供給される電力を検出することで、消費電力を検出する。電力検出部３２１Ａは、検出した消費電力値Ｐ１ａ、供給電力値Ｐ２ａおよび受電電力値Ｐ３ａをＥＭＳ３３Ａに出力する。電力検出部３２１Ｂは、第２の電力需要家設備３Ｂにおける各種電力を検出する。電力検出部３２１Ｂは、電力検出部３２１Ａと同様に構成される。電力検出部３２１Ｂは、検出した消費電力値Ｐ１ｂ、供給電力値Ｐ２ｂおよび受電電力値Ｐ３ｂをＥＭＳ３３Ｂに出力する。
【００４３】
ＥＭＳ３３Ａは、第１の電力需要家設備３Ａにおける、各種電力の需要および供給などの管理を行う。ＥＭＳ３３Ｂは、第２の電力需要家設備３Ｂにおける、各種電力の需要および供給などの管理を行う。ＥＭＳ３３Ａ，３３Ｂは、例えば、建屋Ａ，Ｂが一般家庭であれば、ＨＥＭＳ（Home Energy Management System）と呼ばれるシステムであり、建屋Ａ，Ｂがビルであれば、ＢＥＭＳ（Building Energy Management System）と呼ばれるシステムであり、建屋Ａ，Ｂが工場であれば、ＦＥＭＳ（Factory Energy Management System）と呼ばれるシステムである。
【００４４】
ＥＭＳ３３Ａは、電力検出部３２１Ａから、消費電力値Ｐ１ａ、供給電力値Ｐ２ａおよび受電電力値Ｐ３ａを入力される。ＥＭＳ３３Ａは、入力された消費電力値Ｐ１ａ、供給電力値Ｐ２ａおよび受電電力値Ｐ３ａを、たとえば図示しない表示装置に表示することで、第１の電力需要家は、これらの電力値を確認できる。ＥＭＳ３３Ａは、図２に示すように、通信部３３１Ａを有している。通信部３３１Ａは、統合管理装置４との間で通信を行うものである。なお、通信部３３１Ａと統合管理装置４との間の通信は、無線通信であってもよいし、有線通信であってもよい。本実施形態においては、ＥＭＳ３３Ａは、消費電力値Ｐ１ａ、供給電力値Ｐ２ａおよび受電電力値Ｐ３ａを、通信部３３１Ａを介して統合管理装置４に送信する。ＥＭＳ３３Ａが、特許請求の範囲に記載の「第１監視装置」に相当する。
【００４５】
ＥＭＳ３３Ｂは、ＥＭＳ３３Ａと同様に構成される。ＥＭＳ３３Ｂは、図２に示すように、通信部３３１Ｂを有している。通信部３３１Ｂは、通信部３３１Ａと同様に構成される。ＥＭＳ３３Ｂは、電力検出部３２１Ｂから、消費電力値Ｐ１ｂ、供給電力値Ｐ２ｂおよび受電電力値Ｐ３ｂを入力され、これらの電力値を、通信部３３１Ｂを介して統合管理装置４に送信する。ＥＭＳ３３Ｂが、特許請求の範囲に記載の「第２監視装置」に相当する。
【００４６】
統合管理装置４は、分散型電源１、切替装置２、第１の電力需要家設備３Ａおよび第２の電力需要家設備３Ｂの管理を行う。統合管理装置４は、図２に示すように、管理制御部４１を有する。
【００４７】
管理制御部４１は、統合管理装置４の各種制御を行うものである。管理制御部４１は、図２に示すように、通信部４１１を有する。通信部４１１は、分散型電源１、切替装置２、第１の電力需要家設備３Ａ（ＥＭＳ３３Ａ）および第２の電力需要家設備３Ｂ（ＥＭＳ３３Ｂ）との間で通信を行うものである。なお、通信部４１１とそれらとの間の通信は、無線通信であってもよいし、有線通信であってもよい。管理制御部４１は、通信部４１１を介して、分散型電源１、切替装置２、第１の電力需要家設備３Ａ（ＥＭＳ３３Ａ）および第２の電力需要家設備３Ｂ（ＥＭＳ３３Ｂ）との間でそれぞれ各種信号の送受信を行う。
【００４８】
管理制御部４１は、通信部４１１を介して、分散型電源１から出力電力値ＰPVを受信する。また、管理制御部４１は、通信部４１１を介して、ＥＭＳ３３Ａから消費電力値Ｐ１ａ、供給電力値Ｐ２ａおよび受電電力値Ｐ３ａを受信し、ＥＭＳ３３Ｂから消費電力値Ｐ１ｂ、供給電力値Ｐ２ｂおよび受電電力値Ｐ３ｂを受信する。管理制御部４１は、受信したこれらの電力値に基づいて、切替器２１の接続状態を切り替えるための切替指示信号を生成する。そして、管理制御部４１は、通信部４１１を介して、生成した切替指示信号を切替装置２に送信する。これにより、切替装置２は、受信した切替指示信号に基づき、切替器２１の接続状態を切り替える。本実施形態においては、管理制御部４１が、特許請求の範囲に記載の「切替指示部」に相当する。
【００４９】
図３および図４は、管理制御部４１が行う切替指示信号の生成処理を示すフローチャートである。図３は、第１の電力需要家および第２の電力需要家において、電力デマンドが契約デマンドを超えないように、切替装置２の切替を行う場合の切替指示信号生成処理（第１切替指示信号生成処理）を示している。図４は、第１の電力需要家および第２の電力需要家が逆潮流なしの系統連系である場合において、第１の電力需要家設備３Ａおよび第２の電力需要家設備３Ｂで逆潮流が発生しないように、切替装置２の切替を行う場合の切替指示信号生成処理（第２切替指示信号生成処理）を示している。「系統連系」とは、電力系統Ｋに発電設備（分散型電源１）を接続することおよびその状態を示しており、「逆潮流なしの系統連系」とは、系統連系していても配電線には電力は送り込まない場合をいう。一方、「逆潮流ありの系統連系」とは、配電線に対して電力を送り込む場合をいう。本実施形態においては、管理制御部４１は、第１切替指示信号生成処理（図３参照）および第２切替指示信号生成処理（図４参照）の両方を行う場合を示すが、いずれか一方のみであってもよい。また、これらの切替指示信号生成処理の両方を行う場合は、これらの切替指示信号生成処理を並行して繰り返し行ってもよいし、一方ずつ交互に行ってもよい。
【００５０】
まず、図３に示す第１切替指示信号生成処理について説明する。管理制御部４１は、第１切替指示信号生成処理を行うために、次に示す各電力デマンドの値を用いる。それは、現在デマンド、予測デマンドおよび契約デマンドである。なお、電力デマンドは、デマンド時限（一般的に３０分）毎の平均需要電力である。本実施形態において、電力デマンドは、デマンド時限あたりの平均需要電力であるものとするが、デマンド時限あたりの累積需要電力であってもよい。
【００５１】
現在デマンドは、現在のデマンド時限における電力デマンドの現在値である。管理制御部４１は、第１の電力需要家設備３Ａ（ＥＭＳ３３Ａ）から受信する消費電力値Ｐ１ａ、供給電力値Ｐ２ａおよび受電電力値Ｐ３ａに基づいて、第１の電力需要家設備３Ａに対する現在デマンド（第１現在デマンド）を算出する。本実施形態においては、管理制御部４１は、現在のデマンド時限において、現時点までに受信した受電電力値Ｐ３ａの平均値（あるいは積算値）を算出することで、第１現在デマンドを算出する。なお、第１現在デマンドの算出手法は、これに限定されない。たとえば、受電電力値Ｐ３ａは、消費電力値Ｐ１ａから供給電力値Ｐ２ａを減算した値から推算できる。また、管理制御部４１は、同様に、第２の電力需要家設備３Ｂ（ＥＭＳ３３Ｂ）から受信する消費電力値Ｐ１ｂ、供給電力値Ｐ２ｂおよび受電電力値Ｐ３ｂに基づいて、第２の電力需要家設備３Ｂに対する現在デマンド（第２現在デマンド）を算出する。
【００５２】
予測デマンドは、現在のデマンド時限の終了時点における電力デマンドの予測値である。予測デマンドの算出方法は周知の方法を用いればよい。管理制御部４１は、第１現在デマンド、消費電力値Ｐ１ａ、供給電力値Ｐ２ａ、受電電力値Ｐ３ａおよび出力電力値ＰPVに基づいて、第１の電力需要家設備３Ａに対する予測デマンド（第１予測デマンド）を算出する。本実施形態においては、管理制御部４１は、現在のデマンド時限の現時点から当該現在のデマンド時限の終了時点までの期間、分散型電源１から第１の電力需要家設備３Ａに電力供給がないものとして、第１予測デマンドを算出する。つまり、当該期間においては、第２接続状態であるものとして、第１予測デマンドを算出する。また、管理制御部４１は、同様に、第２現在デマンド、消費電力値Ｐ１ｂ、供給電力値Ｐ２ｂ、受電電力値Ｐ３ｂおよび出力電力値ＰPVに基づいて、第２の電力需要家設備３Ｂに対する予測デマンド（第２予測デマンド）を算出する。本実施形態においては、管理制御部４１は、現在のデマンド時限の現時点から当該現在のデマンド時限の終了時点までの期間、分散型電源１から第２の電力需要家設備３Ｂに電力供給がないものとして、第２予測デマンドを算出する。つまり、当該期間においては、第１接続状態であるものとして、第２予測デマンドを算出する。
【００５３】
契約デマンドは、第１の電力需要家設備３Ａおよび第２の電力需要家設備３Ｂのそれぞれにおいて、電力事業者との契約に基づいて、定められた電力デマンド値の最大値である。管理制御部４１には、第１の電力需要家設備３Ａに対する第１契約デマンドおよび第２の電力需要家設備３Ｂに対する第２契約デマンドが予め設定されている。
【００５４】
まず、管理制御部４１は、第２予測デマンドが第２契約デマンドを超過するか否かを判定する（Ｓ１１）。すなわち、第２の電力需要家設備３Ｂにおいて分散型電源１からの電力供給が必要か否かを判定する。
【００５５】
ステップＳ１１にて、超過しないと判定した場合（Ｓ１１：ＮＯ）、すなわち、第２の電力需要家設備３Ｂにおいて分散型電源１からの電力供給が必要でないと判定した場合、切替器２１が第１接続状態となるように切替指示信号を生成する（Ｓ１２）。一方、ステップＳ１１にて、超過すると判定した場合（Ｓ１１：ＹＥＳ）、すなわち、第２の電力需要家設備３Ｂにおいて分散型電源１からの電力供給が必要であると判定した場合、管理制御部４１は、続いて、第１予測デマンドが第１契約デマンドを超過するか否かを判定する（Ｓ１３）。すなわち、第１の電力需要家設備３Ａにおいて分散型電源１からの電力供給が必要か否かを判定する。
【００５６】
ステップＳ１３にて、超過すると判定した場合（Ｓ１３：ＹＥＳ）、すなわち、第１の電力需要家設備３Ａにおいて分散型電源１からの電力供給が必要であると判定した場合、切替器２１が第１接続状態となるように切替指示信号を生成する（Ｓ１２）。なお、管理制御部４１は、ステップＳ１３で超過すると判定した場合、切替器２１を第１接続状態とする切替指示信号を生成するとともに、必要に応じて、第２の電力需要家設備３Ｂに対して次のように指示してもよい。それは、第２の電力需要家設備３Ｂに設けた報知手段（図示略）に電力負荷３１Ｂの使用電力を低減させるように報知させる指示や電力負荷３１Ｂの一部を停止させる指示である。一方、ステップＳ１３にて、超過しないと判定した場合（Ｓ１３：ＮＯ）、すなわち、第１の電力需要家設備３Ａにおいて分散型電源１からの電力供給が必要でないと判定した場合、切替器２１が第２接続状態となるように切替指示信号を生成する（Ｓ１４）。
【００５７】
本実施形態においては、管理制御部４１が各電力デマンド（現在デマンドおよび予測デマンド）を算出する場合を示したが、各ＥＭＳ３３Ａ，３３Ｂが各電力デマンドを算出し、これを管理制御部４１に送信するようにしてもよい。
【００５８】
次に、図４に示す第２切替指示信号生成処理について説明する。この第２切替指示信号生成処理は、上記するように第１の電力需要家設備３Ａおよび第２の電力需要家設備３Ｂがともに逆潮流なしの系統連系である場合に行われる。管理制御部４１は、第２切替指示信号生成処理を行うために、次に示す受電電力値Ｐ３ａ’，Ｐ３ｂ’を用いる。受電電力値Ｐ３ａ’は、たとえば消費電力値Ｐ１ａから出力電力値ＰPVを減算した値であり、第１の電力需要家設備３Ａに分散型電源１からの電力を供給している場合の受電電力値Ｐ３ａの算出値である。つまり、受電電力値Ｐ３ａ’は、第１接続状態とした場合の受電電力値Ｐ３ａの算出値である。よって、切替器２１が第１接続状態のときは、管理制御部４１が算出した受電電力値Ｐ３ａ’と、電力検出部３２１Ａが検出した受電電力値Ｐ３ａとが同じである。また、受電電力値Ｐ３ｂ’も同様に算出される。すなわち、受電電力値Ｐ３ｂ’は、たとえば消費電力値Ｐ１ｂから出力電力値ＰPVを減算した値であり、第２の電力需要家設備３Ｂに分散型電源１からの電力を供給している場合の受電電力値Ｐ３ｂの算出値である。つまり、受電電力値Ｐ３ｂ’は、第２接続状態とした場合の受電電力値Ｐ３ｂの算出値である。よって、切替器２１が第２接続状態のときは、管理制御部４１が算出した受電電力値Ｐ３ｂ’と、電力検出部３２１Ｂが検出した受電電力値Ｐ３ｂとが同じである。
【００５９】
まず、管理制御部４１は、第１の電力需要家設備３Ａにおける上記受電電力値Ｐ３ａ’が第１閾値以下であるか否かを判定する（Ｓ２１）。これにより、第１の電力需要家設備３Ａにおいて逆潮流が発生する虞があるか否かを判定している。第１閾値としては、たとえば０以上の値が設定される。第１閾値が０に近い場合、ステップＳ２１で、第１の電力需要家設備３Ａにおいて逆潮流が発生する虞があると判定される可能性が低くなり、一方、第１閾値が大きいほど、ステップＳ２１で、第１の電力需要家設備３Ａにおいて逆潮流が発生する虞があると判定される可能性が高くなる。第１閾値は、第１の電力需要家によって適宜設定される。
【００６０】
ステップＳ２１にて、受電電力値Ｐ３ａ’が第１閾値より大きい（第１閾値以下でない）と判定した場合（Ｓ２１：ＮＯ）、すなわち、第１の電力需要家設備３Ａにおいて逆潮流が発生する虞がないと判定した場合、管理制御部４１は、切替器２１が第１接続状態となるように切替指示信号を生成する（Ｓ２２）。一方、ステップＳ２１にて、受電電力値Ｐ３ａ’が第１閾値以下であると判定した場合（Ｓ２１：ＹＥＳ）、すなわち、第１の電力需要家設備３Ａにおいて逆潮流が発生する虞があると判定した場合、管理制御部４１は、続いて、第２の電力需要家設備３Ｂにおける上記受電電力値Ｐ３ｂ’が第２閾値以下であるか否かを判定する（Ｓ２３）。これにより、第２の電力需要家設備３Ｂに分散型電源１からの電力供給を行った場合に第２の電力需要家設備３Ｂにおいて逆潮流が発生する虞があるか否かを判定している。第２閾値としては、たとえば０以上の値が設定される。第２閾値が０に近い場合、ステップＳ２３で、第２の電力需要家設備３Ｂにおいて逆潮流が発生する虞があると判定される可能性が低くなり、一方、第２閾値が大きいほど、ステップＳ２３で、第２の電力需要家設備３Ｂにおいて逆潮流が発生する虞があると判定される可能性が高くなる。第２閾値は、第２の電力需要家によって適宜設定される。なお、第１閾値と第２閾値とは、同じであっても異なっていてもよい。また、第１閾値と第２閾値とは、第１の電力需要家設備３Ａと第２の電力需要家設備３Ｂとにおける逆潮流の発生の抑制度合い、および、第１の電力需要家設備３Ａと第２の電力需要家設備３Ｂとの切り替えの頻度を考慮して適宜設定すればよい。
【００６１】
ステップＳ２３にて、受電電力値Ｐ３ｂ’が第２閾値より大きい（第２閾値以下でない）と判定した場合（Ｓ２３：ＮＯ）、すなわち、第２の電力需要家設備３Ｂにおいて逆潮流が発生する虞がないと判定した場合、管理制御部４１は、切替器２１が第２接続状態となるように切替指示信号を生成する（Ｓ２４）。一方、ステップＳ２３にて、受電電力値Ｐ３ｂ’が第２閾値以下であると判定した場合（Ｓ２３：ＹＥＳ）、すなわち、第２の電力需要家設備３Ｂにおいて逆潮流が発生する虞があると判定した場合、管理制御部４１は、切替器２１が第１接続状態となるように切替指示信号を生成するとともに、分散型電源１に対して出力電力を抑制するように、すなわち、発電装置１１による発電を抑制するように指示する（Ｓ２５）。
【００６２】
なお、第１切替指示信号生成処理（図３参照）および第２切替指示信号生成処理（図４参照）は、上記したものに限定されず、他の方法で切替指示信号を生成してもよい。
【００６３】
次に、第１実施形態にかかる電力システムＳ１の作用効果について説明する。
【００６４】
電力システムＳ１によれば、第１の電力需要家が有する電力負荷３１Ａと第２の電力需要家が有する電力負荷３１Ｂとのそれぞれの電力使用状況に応じて、分散型電源１の電力供給先が受電設備３２Ａと受電設備３２Ｂとの間で切り替わる。したがって、第１の電力需要家と第２の電力需要家との間で、分散型電源１から供給される電力を融通し合うことができる。たとえば建屋Ｂには個別に分散型電源を設置できないので、当該建屋Ｂ内の第２の電力需要家設備３Ｂは、従来では分散型電源による電力系統Ｋからの受電電力の抑制ができなかった。しかしながら、電力システムＳ１によれば、建屋Ａに設置された分散型電源１からの電力供給を、建屋Ａから建屋Ｂに行うことができるので、建屋Ｂ内の第２の電力需要家設備３Ｂにおいても、必要に応じて、分散型電源による電力系統Ｋからの受電電力の抑制ができる。また、建屋Ａ内の第１の電力需要家設備３Ａにおいて、逆潮流が発生する虞があり、分散型電源１からの電力供給が不要な場合、従来では分散型電源１の発電を抑制せざるを得なかった。しかしながら、電力システムＳ１によれば、分散型電源１の発電を抑制する必要がないため、分散型電源１の稼働率の低下を抑制することができる。
【００６５】
電力システムＳ１によれば、統合管理装置４は、第１の電力需要家設備３Ａから消費電力値Ｐ１ａ、供給電力値Ｐ２ａおよび受電電力値Ｐ３ａを取得し、これらに基づいて、第１の電力需要家設備３Ａにおける電力使用状況を確認する。また、第２の電力需要家設備３Ｂから消費電力値Ｐ１ｂ、供給電力値Ｐ２ｂおよび受電電力値Ｐ３ｂを取得し、これらに基づいて、第２の電力需要家設備３Ｂにおける電力使用状況を確認する。そして、統合管理装置４は、これらの電力使用状況に応じて、切替装置２の切替を制御している。したがって、統合管理装置４によって、第１の電力需要家と第２の電力需要家との間の電力融通を制御することができる。
【００６６】
電力システムＳ１によれば、管理制御部４１は、第１切替指示信号生成処理（図３参照）に従って、切替指示信号を生成している。これにより、切替器２１が第１接続状態であるときに、分散型電源を有していない第２の電力需要家において、第２予測デマンドが第２契約デマンドを超過し、かつ、分散型電源１を有する第１の電力需要家において、第１予測デマンドが第１契約デマンドを超えない場合、切替器２１を第２接続状態に切り替えることができる。すなわち、分散型電源１の電力供給先を第２の電力需要家設備３Ｂにすることができる。したがって、第２の電力需要家設備３Ｂの電力ピークを抑制し、第２の電力需要家において、電力デマンドが契約デマンドを超えないようにできる。
【００６７】
電力システムＳ１によれば、管理制御部４１が第１切替指示信号生成処理を行うことで、切替器２１が第１接続状態のときに、第２の電力需要家設備３Ｂにおいて第２予測デマンドが第２契約デマンドを超過し、かつ、第１の電力需要家設備３Ａにおいて分散型電源１からの電力供給がなくても第１予測デマンドが第１契約デマンドを超えない場合には、分散型電源１が発電した電力の供給先が、第１の電力需要家設備３Ａから第２の電力需要家設備３Ｂに切り替わる。また、切替器２１が第２接続状態のときに、第１の電力需要家設備３Ａにおいて第１予測デマンドが第１契約デマンドを超過すると判定されると、分散型電源１の供給先が第２の電力需要家設備３Ｂから第１の電力需要家設備３Ａに切り替わる。さらに、切替器２１が第２接続状態のときに、第２の電力需要家設備３Ｂにおいて第２予測デマンドが第２契約デマンドを超過しないと判定されると、分散型電源１の供給先が第２の電力需要家設備３Ｂから第１の電力需要家設備３Ａに切り替わる。したがって、第１の電力需要家および第２の電力需要家の受電電力をできる限り抑制するように、第１の電力需要家および第２の電力需要家の間の電力融通を適切に制御することができる。
【００６８】
電力システムＳ１によれば、管理制御部４１は、第２切替指示信号生成処理（図４参照）に従って、切替指示信号を生成している。これにより、分散型電源１を有する第１の電力需要家設備３Ａが逆潮流なしの系統連系である場合に、切替器２１が第１接続状態であるときに、切替器２１が第１接続状態で第１の電力需要家設備３Ａにおいて逆潮流が発生しそうであり、かつ、第２の電力需要家設備３Ｂにおいて逆潮流が発生しない場合、分散型電源１の電力供給先を第２の電力需要家設備３Ｂにすることができる。したがって、発電装置１１が発電した電力をできる限り抑制することなく、第１の電力需要家設備３Ａにおける逆潮流の発生を抑制することができる。また、逆潮流なしの系統連系の場合、電力系統Ｋへの逆潮流を防止するために、逆電力継電器が設置される。当該逆電力継電器は、逆潮流を検出した場合、各電力需要家設備３を電力系統Ｋから解列する保護継電器である。逆電力継電器が作動すると、各電力需要家設備３が電力系統Ｋから解列され、電力系統Ｋからの受電ができなくなる。よって、各電力需要家設備３における逆潮流の発生を抑制することで、逆電力継電器によって解列されることを抑制できる。
【００６９】
電力システムＳ１によれば、管理制御部４１が第２切替指示信号生成処理を行うことで、切替器２１が第１接続状態のときに、第１の電力需要家設備３Ａにおいて逆潮流が発生しそうになった場合、第２の電力需要家設備３Ｂに分散型電源１から電力供給を行っても第２の電力需要家設備３Ｂで逆潮流が発生しなければ、分散型電源１の供給先が第１の電力需要家設備３Ａから第２の電力需要家設備３Ｂに切り替わる。また、切替器２１が第２接続状態のときに、第２の電力需要家設備３Ｂで逆潮流が発生する虞があると判定されると、分散型電源１の供給先が第２の電力需要家設備３Ｂから第１の電力需要家設備３Ａに切り替わる。さらに、切替器２１が第２接続状態のときに、第１の電力需要家設備３Ａにおいて逆潮流が発生する虞がないと判定されると、分散型電源１の供給先が第２の電力需要家設備３Ｂから第１の電力需要家設備３Ａに切り替わる。したがって、分散型電源１の発電をできる限り抑制しないように、第１の電力需要家および第２の電力需要家の間の電力融通を適切に制御することができる。
【００７０】
電力システムＳ１によれば、切替器２１は第１接続状態と第２接続状態とを切り替えるときに無接続状態を介している。仮に切替器２１において第１接続状態と第２接続状態とが瞬時に切り替わると、接点ｃ１と接点ｃ２とがたとえばアークの発生などにより電気的に接続される可能性がある。よって、第１の電力需要家設備３Ａ（受電設備３２Ａ）と第２の電力需要家設備３Ｂ（受電設備３２Ｂ）とが電気的に接続される可能性がある。このとき、受電設備３２Ａと受電設備３２Ｂとで、電力系統を介して、ループ接続の状態となり、短絡事故の要因となる。しかしながら、電力システムＳ１は、第１接続状態と第２接続状態とを切り替える際に無接続状態を介しているため、上記のような接点ｃ１と接点ｃ２とが電気的に接続される可能性を抑制し、系統事故の発生を抑制することができる。
【００７１】
第１実施形態では、第１切替指示信号生成処理において第１予測デマンド（第２予測デマンド）が第１契約デマンド（第２契約デマンド）を超過しているか否かの判定を行うようにしたが、第１契約デマンド（第２契約デマンド）ではなく、ユーザによって指定された所定のデマンド値を超過しているか否かを判定するようにしてもよい。このように構成することで、第１の電力需要家および第２の電力需要家のそれぞれにおける電力デマンドを上記所定のデマンド値以下になるように、第１の電力需要家と第２の電力需要家との間で分散型電源１からの電力を融通し合うことができる。
【００７２】
第１実施形態では、第２切替指示信号生成処理において、受電電力値Ｐ３ａ’（Ｐ３’ｂ）が第１閾値（第２閾値）以下であるか否かに応じて、第１の電力需要家設備３Ａ（第２の電力需要家設備３Ｂ）において逆潮流が発生する虞があるか否かを判定した場合を示したが、逆潮流が発生するか否かの判定方法はこれに限定されない。
【００７３】
第１実施形態では、統合管理装置４が、上記した２つ切替指示信号生成処理によって、切替指示信号を生成し、切替装置２が当該切替指示信号に基づいて、切替器２１の接続状態を切り替える場合を示したが、次のように構成してもよい。たとえば、所定の時間帯（朝昼晩などの区切りあるいは２時間３時間などの所定時間での区切りなど）毎に切替器２１の接続状態を切り替えるようにしてもよい。この場合、切替装置２あるいは統合管理装置４に対して、上記所定の時間帯に対していずれの接続状態にするかを予め設定しておく。また、分散型電源１からの出力電力（出力電力値ＰPV）の表示、および、各電力需要家設備３のＥＭＳ（ＥＭＳ３３Ａ，３３Ｂ）による各電力使用状況（消費電力値Ｐ１ａ，Ｐ１ｂ、供給電力値Ｐ２ａ，Ｐ２ｂおよび受電電力値Ｐ３ａ，Ｐ３ｂ）の表示を確認して、第１の電力需要家または第２の電力需要家が手動で切替器２１の接続状態を切り替えるようにしてもよい。
【００７４】
第１実施形態では、統合管理装置４は、切替器２１の切り替えを指示するとき、切替装置２に対して切替指示信号を送信していたが、さらに、分散型電源１に対して出力停止信号および出力開始信号を送信するようにしてもよい。具体的には、以下のように処理される。
【００７５】
すなわち、統合管理装置４は、切替器２１の切り替えが必要であると判断すると、分散型電源１に対して電力の出力を停止させる出力停止信号を送信する。分散型電源１は、当該出力停止信号に基づいて、分散型電源１からの電力の出力を停止させる。なお、発電装置１１による発電を停止させてもよい。次いで、統合管理装置４は、分散型電源１からの電力出力が停止したことを確認した後、切替装置２に対して切替指示信号を送信し、切替器２１の切り替えを指示する。なお、統合管理装置４は、分散型電源１から受信する出力電力値ＰPVが０となったとき、または、出力を停止したことを示す信号を分散型電源１から受信したときに、分散型電源１からの電力出力が停止したと判断する。そして、切替器２１は、受信した切替指示信号に基づいて、第１接続状態と第２接続状態とを無接続状態を介して切り替える。次いで、統合管理装置４は、切替器２１が切り替わったことを確認した後、分散型電源１に対して電力の出力を開始させる出力開始信号を送信する。なお、統合管理装置４は、切替装置２から受信する接続状態信号、または、切替装置２からの切替器２１の切り替えが完了したことを示す信号に基づいて、切替器２１が切り替わったことと判断する。分散型電源１は、受信した出力開始信号に基づいて、分散型電源１からの電力の出力を開始させる。なお、発電装置１１による発電を開始させるようにしてもよい。
【００７６】
以上のように、第１接続状態と第２接続状態とを切り替える際に、分散型電源１を停止させることで、接点ｃ１と接点ｃ２とが電気的に接続される可能性をさらに抑制し、上記短絡事故の発生をさらに抑制することができる。
【００７７】
第１実施形態では、統合管理装置４は、分散型電源１、切替装置２、第１の電力需要家設備３Ａおよび第２の電力需要家設備３Ｂとの通信によって、第１の電力需要家（電力負荷３１Ａ）および第２の電力需要家（電力負荷３１Ｂ）による電力使用状況に応じて、切替装置２の切替を制御した場合を示したが、これに限定されない。たとえば、第１の電力需要家設備３Ａと第２の電力需要家設備３Ｂとの間の通信によって、切替器２１の切り替えを行うように構成してもよい。図５は、このような変形例に係る電力システムを示している。本変形例に係る電力システムＳ１’は、上記電力システムＳ１と比較して、統合管理装置４を備えていない点で異なる。
【００７８】
電力システムＳ１’において、分散型電源１、切替装置２、第１の電力需要家設備３Ａおよび第２の電力需要家設備３Ｂは、通信ネットワーク９１を介して、互いに通信可能に構成されている。このような構成された電力システムＳ１’において、たとえば、第１の電力需要家設備３Ａから第２の電力需要家設備３Ｂに対して、切替器２１の接続状態の切替を要望する。そして、この要望を受けた第２の電力需要家設備３Ｂは、切替器２１の切り替えが可能であるか否かを判断する。そして、第２の電力需要家設備３Ｂは、切替が可能であると判断した場合、切替装置２に切替器２１の切り替えを指示し、切替が可能でないと判断した場合、第１の電力需要家設備３Ａにその旨を伝える。なお、第２の電力需要家設備３Ｂから第１の電力需要家設備３Ａに対しても同様である。上記接続状態の切替を要望するか否かおよび上記切替器２１の切り替えが可能であるか否かの判断は、予測デマンドが契約デマンドを超過するか否か、または、逆潮流が発生しそうか否かに基づいて、判断すればよい。
【００７９】
たとえば、ＥＭＳ３３Ｂは、第２の電力需要家設備３Ｂにおける上記第２予測デマンドを算出し、算出した第２予測デマンドが第２契約デマンドを超過しそうな場合に、第１の電力需要家設備３Ａ（ＥＭＳ３３Ａ）に対して、分散型電源１からの電力供給を要求する。ＥＭＳ３３Ａは、第２の電力需要家設備３Ｂから、分散型電源１からの電力供給の要求を受け、第１の電力需要家設備３Ａにおける上記第１予測デマンドを算出し、算出した第１予測デマンドが第１契約デマンドを超過しなければ、切替装置２に対して切替器２１を第１接続状態から第２接続状態に切り替えるように切替指示信号を送信する。そして、切替装置２は、受信した切替指示信号に基づいて、切替器２１を第１接続状態から第２接続状態に切り替える。一方、ＥＭＳ３３Ａは、算出した第１予測デマンドが第１契約デマンドを超過する場合には、切替指示信号を生成せず（切替器２１の切り替えを行わず）、第２接続状態に切り替えられない旨をＥＭＳ３３Ｂに伝達する。本変形例においては、ＥＭＳ３３Ａが、特許請求の範囲に記載の「切替指示部」に相当する。
【００８０】
また、上記電力システムＳ１’において、次のように構成することも可能である。それは、第１の電力需要家設備３Ａが、電力検出部３２１Ａから入力される、消費電力値Ｐ１ａ、供給電力値Ｐ２ａおよび受電電力値Ｐ３ａに基づいて、第１の電力需要家設備３Ａにおける電力使用状況を確認する。また、第１の電力需要家設備３Ａは、通信部３３１Ａを介した通信によって第２の電力需要家設備３Ｂから消費電力値Ｐ１ｂ、供給電力値Ｐ２ｂおよび受電電力値Ｐ３ｂを取得し、これらに基づいて、第２の電力需要家設備３Ｂにおける電力使用状況を確認する。続いて、第１の電力需要家設備３ＡのＥＭＳ３３Ａは、これらの電力使用状況に基づいて、第１接続状態と第２接続状態との切り替えが必要であるか否かを判断する。そして、ＥＭＳ３３Ａが、切替器２１の切り替えが必要であると判断した場合に、切替装置２に上記切替指示信号を送信し、切替装置２が、受信した切替指示信号に基づき、切替器２１の接続状態を切り替える。なお、切替器２１の切り替えが必要であるか否かの判断は、上記した予測デマンドが契約デマンドを超過するか否か（図３参照）、または、逆潮流が発生しそうか否か（図４参照）に基づいて判断すればよい。この場合、ＥＭＳ３３Ａが、特許請求の範囲に記載の「切替指示部」に相当する。また、上記では、第１の電力需要家設備３Ａが、切替器２１の切り替えが必要であるか否かを判断する場合を示したが、反対に、第２の電力需要家設備３Ｂが判断してもよい。この場合、ＥＭＳ３３Ｂが、特許請求の範囲に記載の「切替指示部」に相当する。
【００８１】
以上のように第１の電力需要家設備３Ａと第２の電力需要家設備３Ｂとの間での通信した場合でも、第１の電力需要家および第２の電力需要家の間で、分散型電源１からの供給電力を融通し合うことができる。
【００８２】
上記第１実施形態では、電力系統Ｋから電力を受電可能な受電設備３２Ａ，３２Ｂを、各電力需要家設備３Ａ，３Ｂが備えている場合を示したが、これに限定されない。たとえば、図６に示すように、切替装置２および受電設備３２Ａ，３２Ｂを１つの筐体に収容し、１つの受電設備Ｇとして扱うようにしてもよい。よって、受電設備Ｇは、各々が電力系統Ｋに繋がる２つの受電設備３２Ａ，３２Ｂを有しており、かつ、これらが切替装置２を介して、電力線で繋がっている。そして、受電設備３２Ａに、第１の電力需要家設備３Ａにおける電力負荷３１Ａが接続され、受電設備３２Ｂに、第２の電力需要家設備３Ｂにおける電力負荷３１Ｂが接続されている。また、切替装置２に、受電設備Ｇの内部で分散型電源１が接続されている。このように分散型電源１および受電設備Ｇが、建屋Ａ，Ｂのいずれにも設置されず、独立して配置されているような場合であっても、第１の電力需要家における電力負荷３１Ａおよび第２の電力需要家における電力負荷３１Ｂに分散型電源１からの電力供給を融通することができる。
【００８３】
図７は、本開示の第２実施形態にかかる電力システムを示している。本実施形態の電力システムＳ２は、上記電力システムＳ１と比較して、分散型電源１が充放電装置１３をさらに有している点で異なる。
【００８４】
充放電装置１３は、電力を蓄積したり放出したりするものである。充放電装置１３はたとえば鉛蓄電池、ニッケル水素電池およびリチウムイオン電池などの二次電池である。なお、リチウムイオンキャパシタや電気二重層キャパシタなどであってもよい。充放電装置１３は、パワーコンディショナ１２によって制御される。パワーコンディショナ１２は、発電装置１１が発電した電力や電力系統Ｋから供給される電力を用いて、充放電装置１３の充電を行う。また、パワーコンディショナ１２は、充放電装置１３に蓄積された電力を放出し、分散型電源１からの供給電力とする。
【００８５】
以上のように構成された電力システムＳ２においても、第１の電力需要家が有する電力負荷３１Ａと第２の電力需要家が有する電力負荷３１Ｂとのそれぞれの電力使用状況に応じて、分散型電源１の電力供給先が受電設備３２Ａと受電設備３２Ｂとの間で切り替わる。したがって、第１の電力需要家と第２の電力需要家との間で、分散型電源１から供給される電力を融通し合うことができる。
【００８６】
なお、電力システムＳ２においては、上記第２切替信号生成処理（図４参照）において、次のようにしてもよい。それは、第２切替信号生成処理を行う場合、統合管理装置４（管理制御部４１）は、ステップＳ２１において、受電電力値Ｐ３ａ’が第１閾値以下であると判定されたとき、（Ｓ２１：ＹＥＳ）、ステップＳ２３の処理を行う前に、充放電装置１３の上記充電率を確認する。そして、充放電装置１３の充電が可能であれば、分散型電源１に対して、発電装置１１が発電した電力を用いて充放電装置１３を充電させ、分散型電源１からの出力電力を抑制させる。これにより、受電電力値Ｐ３ａ’が第１閾値以上となった場合には、切替器２１を第１接続状態にする切替指示信号を生成する。一方、充放電装置１３の充電を行っても、受電電力値Ｐ３ａ’が第１閾値以下のままである場合には、ステップＳ２３の処理を行う。また、充放電装置１３の充電率を確認し、満充電であるなどして充放電装置１３の充電が不可能と判断した場合には、ステップＳ２３の処理を行う。
【００８７】
図８は、本開示の第３実施形態にかかる電力システムを示している。本実施形態の電力システムＳ３は、上記電力システムＳ１と比較して、３つ以上の電力需要家設備３を備えている点で異なる。なお、図８においては、電力系統Ｋ、統合管理装置４および通信ネットワーク９１などの図示を省略している。
【００８８】
本実施形態において、切替器２１は、複数のスイッチを組み合わせて構成されている。切替器２１は、たとえば図８に示すように、複数のＳＰＳＴ（Single Pole, Single Throw）型のスイッチ２１１を有して構成されている。なお、図８に示す切替器２１の構成は、一例であって、これに限定されない。このように構成された切替器２１において、分散型電源１から電力を供給させたい電力需要家設備３が接続されたスイッチ２１１を導通状態にすることで、当該電力需要家設備３に分散型電源１からの電力を供給することができる。なお、図８に示す切替器２１の場合、同時に複数のスイッチ２１１が導通状態にならないように規制するインターロック機能を付けておく。よって、ある１つのスイッチ２１１のみが導通状態であるときに他の１つのスイッチ２１１のみが導通状態となるように接続状態を切り替える場合、一度すべてのスイッチ２１１が遮断状態となる無接続状態を介した後、上記他の１つのスイッチ２１１のみを導通状態にする。
【００８９】
また、複数の電力需要家設備３を備えている場合、複数の電力需要家設備３において、同時に分散型電源１からの電力供給が必要となる場合がある。このような場合に備えて、各電力需要家設備３に対して優先順位を予め設定しておき、複数の電力需要家設備３において、同時に分散型電源１からの電力供給が必要となった場合、設定された優先順位がより高い電力需要家設備３に分散型電源１からの電力を供給すればよい。
【００９０】
以上のように構成された電力システムＳ３においても、複数の電力需要家がそれぞれ有する電力需要家設備３（電力負荷）における電力使用状況に応じて、分散型電源１の電力供給先を複数の電力需要家設備３のいずれかに切り替えることができる。したがって、複数の電力需要家の間で、分散型電源１から供給される電力を融通し合うことができる。
【００９１】
図９は、本開示の第４実施形態にかかる電力システムを示している。上記第１実施形態および上記第２実施形態では、第１の電力需要家設備３Ａおよび第２の電力需要家設備３Ｂとの間で電力融通を行う場合を示したが、本実施形態の電力システムＳ４は、各々が１つ以上の電力需要家設備３を備える複数の地域Ｃの間で電力融通を行う。図９は、電力システムＳ４の全体構成を示している。なお、電力システムＳ４において、電力需要家設備３の数は、図９に示すものに限定されない。
【００９２】
電力システムＳ４において、複数の地域Ｃの各々には、図９に示すように、１つ以上の電力需要家設備３が電力網９２によって接続されている。本実施形態においては、地域Ｃ１には、分散型電源１および切替装置２が設置されている。本実施形態における分散型電源１は、たとえばメガソーラーなどの電力供給の能力が比較的高い分散型電源である。一方、地域Ｃ２には、たとえば分散型電源を設置できない制約（たとえば設置スペースがない）などにより、分散型電源が設置されてない。また、本実施形態においては、地域Ｃ１の電力網９２および地域Ｃ２の電力網９２が、互いに異なる電力系統Ｋ１，Ｋ２にそれぞれ接続されているものとする。なお、これらの電力網９２が同じ電力系統Ｋに接続されていてもよい。
【００９３】
複数の地域Ｃの各々は、図９に示すように、当該各地域Ｃにおける複数の電力需要家設備３などと通信可能なＣＥＭＳ（Community Energy Management System）６を備えている。各ＣＥＭＳ６は、各地域Ｃにおける電力の需要・供給を統合的に管理するシステムである。各ＣＥＭＳ６は、通信ネットワーク９１を介して統合管理装置４と通信可能であり、各地域Ｃにおける電力の需要・供給に関する情報を統合管理装置４に送信している。
【００９４】
電力システムＳ４は、切替装置２の接続状態を切り替えることで、地域Ｃ１に設置された分散型電源１の電力供給先が、地域Ｃ１の電力網９２である第１接続状態と、地域Ｃ２の電力網９２である第２接続状態とで切り替わるように構成されている。そして、電力システムＳ４は、統合管理装置４が各ＣＥＭＳ６から受信した上記電力の需要・供給に関する情報に基づいて、切替装置２の接続状態を切り替えるように構成されている。
【００９５】
以上のように構成された電力システムＳ４は、各地域Ｃにおける電力の需要・供給に関する情報、すなわち、各地域Ｃにおける電力使用状況に基づいて、切替装置２の接続状態を切り替えることで、地域Ｃ１に設置された分散型電源１の電力供給先が、地域Ｃ１の電力網９２である第１接続状態と、地域Ｃ２の電力網９２である第２接続状態とを切り替えることができる。これにより、たとえば地域Ｃ１における電力の消費が少なく、地域Ｃ２における電力の消費が多い場合には、切替装置２の接続状態の切り替えによって、地域Ｃ１に設置された分散型電源１の出力電力を、地域Ｃ２の電力網９２に供給することができる。また、たとえば地域Ｃ２において停電などが発生し、電力系統Ｋ２から電力を受電できなくても、切替装置２の接続状態の切り替えによって、地域Ｃ１に設置された分散型電源１の出力電力を、地域Ｃ２の電力網９２に供給することができる。したがって、電力システムＳ４において、複数の地域Ｃの間で電力を融通し合うことができる。
【００９６】
なお、第４実施形態において、複数の電力需要家設備３の少なくとも１つ以上が、個別に、分散型電源１と異なる分散型電源（個別分散型電源）を備えていてもよい。ただし、この個別分散型電源は、切替装置２による切り替えによって電力供給先が変わるものではない。たとえば、地域Ｃ１の電力網９２に接続された電力需要家設備３が有する個別分散型電源は、その供給電力が、当該電力需要家設備３によって消費される、あるいは、地域Ｃ１の電力網９２に供給されるだけであり、切替装置２による切り替えによって地域Ｃ２の電力網９２に供給されることはない。
【００９７】
なお、第４実施形態においては、複数の地域Ｃの間での電力融通について説明したが、これに限定されず、複数のスマートグリッドや複数のマイクログリッドの間においても同様に電力融通することができる。
【００９８】
本開示に係る電力システムおよび切替装置は、上記した実施形態に限定されるものではない。本開示の電力システムおよび切替装置の各部の具体的な構成は、種々に設計変更自在である。
【符号の説明】
【００９９】
Ｓ１〜Ｓ４，Ｓ１’：電力システム
Ａ，Ｂ    ：建屋
Ｇ        ：受電設備
Ｃ，Ｃ１，Ｃ２：地域
Ｋ、Ｋ１，Ｋ２：電力系統
１        ：分散型電源
１１      ：発電装置
１２      ：パワーコンディショナ
１２１    ：通信部
１２２    ：電力検出部
１３      ：充放電装置
２        ：切替装置
２１      ：切替器
２１１    ：スイッチ
２２      ：切替制御部
２２１    ：通信部
３        ：電力需要家設備
３Ａ      ：第１の電力需要家設備
３Ｂ      ：第２の電力需要家設備
３１Ａ，３１Ｂ：電力負荷
３２Ａ，３２Ｂ：受電設備
３３Ａ，３３Ｂ：エネルギーマネージメントシステム（ＥＭＳ）
３２１Ａ，３２１Ｂ：電力検出部
３３１Ａ，３３１Ｂ：通信部
４        ：統合管理装置
４１      ：管理制御部
４１１    ：通信部
５        ：電力需要家間電力線
６        ：ＣＥＭＳ
９１      ：通信ネットワーク
９２      ：電力網
【図１】
2019205224.tif 000003
【図２】
2019205224.tif 000004
【図３】
2019205224.tif 000005
【図４】
2019205224.tif 000006
【図５】
2019205224.tif 000007
【図６】
2019205224.tif 000008
【図７】
2019205224.tif 000009
【図８】
2019205224.tif 000010
【図９】
2019205224.tif 000011